(57)【要約】【課題】全身にマイナスイオンを浴びることができる上に、遠赤外線効果、消臭効果をも併せ持つ多機能な傘を提供すること。【解決手段】放射性元素を含むセラミックス粉末と木炭粉末とを混合して付着させた布帛を傘地に使用した。木炭粉末は、備長炭粉末であることが好ましい。また、放射性元素は、トリウム及び／又はウラニウムであることが好ましい。放射性元素を含むセラミックス粉末及び木炭粉末は１〜１２ｍｍの間隔で空隙を有する細かい模様として布帛に付着されているのが好ましい。【選択図】図１
0003139901.tif 000002
【実用新案登録請求の範囲】
【請求項１】
放射性元素を含むセラミックス粉末と木炭粉末とを混合して付着させた布帛を傘地に使用してなることを特徴とする傘。
【請求項２】
前記木炭粉末が備長炭粉末であることを特徴とする請求項１に記載の傘。
【請求項３】
前記放射性元素はトリウム及び／又はウラニウムであること特徴とする請求項１又は２に記載の傘。
【請求項４】
遠赤外線放射性セラミックス粉末を含むことを特徴とする請求項１から３のいずれかに記載の傘。
【請求項５】
前記放射性元素を含むセラミックス粉末及び前記木炭粉末は１〜１２ｍｍの間隔で空隙を有する細かい模様として布帛に付着されていることを特徴とする請求項１から４のいずれかに記載の傘。
【考案の詳細な説明】
【技術分野】
【０００１】
本考案は、マイナスイオン効果、遠赤外線効果、消臭効果などの優れた機能を併せ持つ傘に関する。
【背景技術】
【０００２】
従来より、マイナスイオンはストレス軽減効果、リラックス効果などにより健康に好影響を与えることが知られている。
【０００３】
マイナスイオンは自然界で発生と消滅を繰り返しているが、近年、工場のばい煙、車の排気ガスの増加などに伴い空気が汚染されることにより空気中にプラスイオンが増加している。肺から吸い込むプラスイオンは、酸素と一緒に血液中に溶け込み血液を酸性に傾け、活性酸素を増加させるため、プラスイオンが増加すると身体がだるく不調を感じることとなる。
【０００４】
このような現代人の置かれている環境を鑑みて、マイナスイオン効果を謳ったエアコンディショナー、空気清浄機、あるいは、肌着、カーテンといった繊維製品等が開発されている。
【０００５】
傘においても、従来、セラミックス粉末を塗布した布帛を使用した傘地からなる森林浴の効果を得ることができる傘が開示されている。
【０００６】
一方、木炭は、遠赤外線を放射するとともに、消臭効果、除菌効果、蓄熱効果を有することが知られている。また、木炭は、マイナスイオンを放出すると言われ体の活性化を促進し健康に効果をもたらすことが知られている。
【特許文献１】実用新案登録第３０８６６５０号
【考案の開示】
【考案が解決しようとする課題】
【０００７】
本考案は、全身にマイナスイオンを浴びることができる上に、遠赤外線効果、消臭効果をも併せ持つ多機能な傘を提供することを目的とする。
【課題を解決するための手段】
【０００８】
本考案者らは、微量の放射性元素を含むセラミックス粉末と木炭粉末とを付着させた布帛を傘地に使用することにより、傘の使用時に使用者が全身にマイナスイオンを浴びることができるうえに、傘の消臭効果をも有することを見出し、この知見に基づいて本考案を完成するに至った。
【０００９】
すなわち本考案は、
（１）放射性元素を含むセラミックス粉末と木炭粉末とを混合して付着させた布帛を傘地に使用してなることを特徴とする傘。
（２）前記木炭粉末が備長炭粉末であることを特徴とする（１）に記載の傘。
（３）前記放射性元素はトリウム及び／又はウラニウムであること特徴とする（１）又は（２）に記載の傘。
（４）遠赤外線放射性セラミックス粉末を含むことを特徴とする（１）から（３）のいずれかに記載の傘。
（５）前記放射性元素を含むセラミックス粉末及び前記木炭粉末は１〜１２ｍｍの間隔で空隙を有する細かい模様として布帛に付着されていることを特徴とする（１）から（４）のいずれかに記載の傘。
【考案の効果】
【００１０】
本考案の傘は、使用者が傘の使用時に森林効果のようなマイナスイオンの効果を享受できるとともに、遠赤外線効果、消臭効果をも有することができる。
【考案を実施するための最良の形態】
【００１１】
本考案は、放射性元素を含むセラミックス粉末と木炭粉末とを混合して付着させた布帛を傘地に使用した傘である。
【００１２】
放射性元素を含むセラミックス粉末は放射性元素を含むセラミックスの粉末であれば特に制限はなく、放射性元素を含むセラミックス粉末はいずれも使用できるが、例えば、天然鉱石の粉末（天然セラミックス粉末）などを使用することができる。放射性元素を含むセラミックス粉末は、例えば天然鉱石（天然セラミック）を粉砕等により粉末化することにより得られる。放射性元素を含むセラミック粉末に含まれる放射性元素は、微量であることが好ましい。放射性元素を含むセラミックス粉末の粒子径は５〜２００μｍのものが好ましく、さらに好ましくは１０〜１００μｍのものである。
【００１３】
放射性元素はトリウム及び／又はウラニウムであることが好ましい。トリウム及びウラニウムは放射性元素であるため、放射性元素を含むセラミック粉末に含まれるトリウム及び／又はウラニウムは、微量であることが好ましい。
【００１４】
また、遠赤外線放射性セラミックス粉末を併含させることもできる。遠赤外線放射性セラミックスを併含させることにより、遠赤外線効果を得ることができ、より優れた効果を得ることが可能となる。
【００１５】
木炭粉末は、特に制限はなくいずれも用いることができるが、例えば、白炭、黒炭、竹炭、活性炭などの粉末が挙げられ、これらの粉末は単独あるいは２種以上の粉末を任意に組み合わせて使用することができる。木炭粉末の中でも白炭粉末が好ましく、白炭粉末の中でも特に備長炭粉末が好ましい。備長炭粉末は単独で使用するのが特に好ましい。
【００１６】
ここで、白炭、特に備長炭は、硬いウバメガシの木を１０００度以上の高温で炭化して、窯の外で急冷して得られる。これに対して、黒炭はナラやクヌギ等を４００〜７００度で炭化させて窯の中で冷やすことによって得られる。竹炭は、竹を炭化して得られる。活性炭は、木炭を過熱水蒸気とともに熱するか、塩化亜鉛等の薬品を吸収させた木材の粉末を強熱して炭化させることによって得られる。
【００１７】
木炭は、本来微細な多孔質の形態を有しているため、微粉化することが比較的容易であり、木炭粉末は木炭を粉砕等により粉末化することにより得られる。木炭粉末の粒子径としては５〜２００μｍのものが好ましく、さらに好ましくは１０〜１００μｍのものである。
【００１８】
木炭粉末の含有量は、セラミックス粉末１００重量部に対して０．０１〜０．８重量部が好ましい。木炭粉末の含有量が、セラミックス粉末１００重量部に対して０．０１重量部未満では、木炭粉末の消臭機能が充分でなくなってくる傾向があり、また、０．８重量部を超えて配合すると、木炭の黒色が傘地に着色する傾向となる。
【００１９】
放射性セラミックス粉末に木炭粉末を併含させることにより、木炭粉末のマイナスイオン効果と併せて、より優れたマイナスイオン効果を得ることが可能となる。
【００２０】
本発明でいう布帛とは織物、編物、不織布などの生地の総称をいう。布帛を構成する繊維は特に制限はなく、例えば綿などの天然繊維やポリエステル系繊維、ポリアミド系繊維などの合成繊維などが挙げられる。
【００２１】
放射性元素を含むセラミックス粉末及び木炭粉末は、例えばアクリル樹脂系バインダーを含む塗料あるいは染料として布帛に適用することができる。また、当該塗料はマイクロバルーン型の発泡剤を含有することが好ましい。
【００２２】
放射性元素を含むセラミックス粉末及び木炭粉末は、１〜１２ｍｍの間隔で空隙を有する細かい模様として布帛に付着されていることが好ましい。セラミックス粉末及び木炭粉末は、セラミックス粉末及び木炭粉末を含有する塗料又は染料を布帛に模様としてプリントすることにより付着することができる。模様はドット状、線状、小花状、霞草状などの比較的細かい模様とするのがマイナスイオンの放出性の観点から好ましい。
【００２３】
また、放射性元素を含むセラミックス粉末及び木炭粉末を、傘地の裏面に模様として付着させることにより、傘の使用者は空間を楽しむことができるとともに、マイナスイオンを頭部から全身にあびることができるという利点がある。
【００２４】
傘地には耐水性を得るため撥水加工や防水加工が施されていてもよい。
【００２５】
また、放射性元素を含むセラミックス粉末及び木炭粉末を含む塗料が傘の柄に塗布されていてもよい。特に傘の柄の握り部など掌がふれるところに塗布された場合には、直接掌からマイナスイオンを感じることができる。
【００２６】
さらに、放射性元素を含むセラミックス粉末及び木炭粉末を合成樹脂に練り込み成形し、突起として傘の柄に取り付けたり、傘の柄の一部を放射性元素を含むセラミックス粉末及び木炭粉末を含有する樹脂成形体としてもよい。
【実施例】
【００２７】
以下、実施例を挙げて本発明をさらに詳しく説明するが、本発明はこれらの実施例により何ら制限されるものではない。
トリウム（酸化トリウム換算で０．４％）とウラニウム（酸化ウラニウム換算で０．０６％）を含有するＲＳＲ鉱石（低放射性鉱石）１００重量部とイオン鉱石（遠赤外線放射性セラミックス）９０重量部を粉砕し微粉末（粒度２５μｍ）としたものと、備長炭０．５重量部を粉砕し微粉末としたもの（粒度２０μｍ）を混合した。これらとアクリル系エマルジョン、発泡剤を添加した接着剤とを混合し塗料を作製した。ジャガード織の傘地の表面に直径１ｍｍから７ｍｍの大きさの異なる小花からなる模様としてこの塗料をプリントし、乾燥した。その後、傘地の裏面にアクリル樹脂系のコーティング剤で防水加工を施した傘地を用いて、晴雨兼用の傘を製造した。
【００２８】
株式会社エコホリスティック社製の簡易型マイナスイオン測定器ＥＢ−１２Ａにより測定したところ、この傘地は、常温で表裏いずれの面からも、１ｃｃ当り約２２０〜２３０個のマイナスイオンを発生するものであった。
【産業上の利用可能性】
【００２９】
本発明の傘は、傘の使用者が頭部から全身にマイナスイオンを浴びることができ、健康に好影響を及ぼすことができるとともに、遠赤外線効果、消臭効果をも有するため、産業上有用なものである。
【図面の簡単な説明】
【００３０】
【図１】本考案に係る傘地の拡大断面図。
【図２】本考案に係る傘地を使用した傘の斜視図。
【符号の説明】
【００３１】
１：傘地
２：塗料
３：防水加工
【図１】
0003139901.tif 000003
【図２】
0003139901.tif 000004